(57)【要約】【課題】情報端末装置において、特別な消去処理を行うことなく、確実にカード情報等データを消去することができるようにする。【解決手段】カードの認証・決済を行う際、カード上に記録されたカード情報が読み取られてデータ記憶メモリ２２ａに一旦記憶される。ＣＰＵ２２ｂはデータ記憶メモリからカードデータを読み出して、通信制御部２４にカード情報を渡す。通信制御部２４では通信ブロック２５を制御してカード情報をカード情報認証サーバに転送する。ここでは、データ記憶メモリとして、データ転送を行うため、データ記憶メモリからカード情報が読み出された際、カード情報がデータ記憶メモリに残らない破壊読出しを行う不揮発性メモリが用いられる。【選択図】図２
2007323485.tif 000002
【特許請求の範囲】
【請求項１】
データを一旦蓄積するメモリ手段と、
該メモリ手段から前記データを読み出して、該データをデータ処理する情報処理手段と、を有し、
前記メモリ手段は、前記データ処理を行うため前記メモリ手段から前記データが読み出された際、前記データが前記メモリ手段に残らない破壊読出しを行う不揮発性メモリであることを特徴とする情報端末装置。
【請求項２】
前記データは、カード上に記録されたカード情報であって、
前記カードから前記カード情報を読み取るカード情報読み取り手段を備え、
前記情報処理手段は、前記カード情報読み取り手段で読み取られた前記カード情報を前記メモリ手段に書き込むカード情報書込み手段と、前記カード情報を認証するため前記メモリ手段から前記カード情報を読み出すカード情報読み出し手段と、前記カード情報読み出し手段で読み出されたカード情報をカード情報認証サーバに転送する前記データ処理である転送処理を行う転送手段と、を有することを特徴とする請求項１記載の情報端末装置。
【請求項３】
前記情報処理手段は、電源がオンされる起動の際、停電からの復帰であるか否かを判定する第１の判定手段と、
前記第１の判定手段によって停電からの復帰でないと判定されると起動処理を行う起動処理手段と、
前記第１の判定手段によって停電からの復帰であると判定されると、前記メモリ手段にカード情報が残存するか否かを判定し、カード情報が残存すると判定すると前記カード情報読出し手段に前記メモリ手段から前記データを読み出すことを指示する第２の判定手段とを有することを特徴とする請求項２記載の情報端末装置。
【発明の詳細な説明】
【技術分野】
【０００１】
本発明は、各種カードに記録されたデータを読み込んで、一旦メモリに格納した後、当該メモリからデータを読み出して、データ処理を行う情報端末装置に関し、特に、データ処理後、特別な消去操作を行うことなく、各種カードから読み込んだデータをメモリから確実に消去することのできる情報端末装置に関する。
【背景技術】
【０００２】
一般に、クレジットカード又はライセンスカード等の各種カードを店頭等で使用する際には、当該カードが正規のカードであるか否かを認証する必要がある。このため、店頭にはカードに記載されたＩＤコード等のデータ（以下カード情報と呼ぶ）を読み取って、カード会社の認証サーバに転送処理する情報端末装置が備えられている。カード発行会社の認証サーバにおいて、カードの認証が行われると、当該カードの使用又は当該カードによる決済が許可される。
【０００３】
ところで、情報端末装置でカードからカード情報を読み取った際には、当該カード情報は一旦情報端末装置内のメモリに蓄積され、カード発行会社においてカードの認証が行われた後においても、特別な消去操作等を行わない限り、情報端末装置内のメモリにカード情報が残留したままの状態となる。そして、不特定多数の人が使用する情報端末装置にカード情報が残留した状態では、スキミング等の不正使用が行われる可能性がある。さらには、店頭等に配置された情報端末装置に個人情報であるカード情報が残留することは、個人の機密保持及びプライバシー保護の観点からも問題である。
【０００４】
一方、携帯電話機等の電子機器を複数の利用者が個別に利用して、プライバシー保護及びセキュリティの確保を行うようにしたものがあり、ここでは外部記憶媒体を携帯電話機に接続すると、外部記憶媒体から個人情報が読み出されて携帯電話機に書き込まれる。そして、この個人情報に基づいて携帯電話機の動作を制御するようにしている（例えば、特許文献１参照）。
【特許文献１】特開２００４−１７２８８５公報
【発明の開示】
【発明が解決しようとする課題】
【０００５】
上述した従来の情報端末装置においては、情報端末装置内のメモリに記憶されたカード情報を削除するためには、特別の消去操作をする必要がある。多数の人が来店する店頭等において、カードを認証した都度、特別の消去操作を行わなければならないとすると、カード認証処理が極めて煩雑となってしまうという課題がある。
【０００６】
さらには、多数の人が来店する店頭等においては、頻繁に認証処理が行われる関係上、消去操作を失念する事態が生じ易い。その結果、情報端末装置内にカード情報が消去されないまま、残留してしまうという事態を生じやすくなって、スキミング等の不正使用が行われる可能性がある。さらには、個人の機密保持及びプライバシー保護の観点上好ましくない事態が生じる場合もある。
【０００７】
本発明の目的は、上述の課題を解決するため、特別な消去操作を行うことなく、確実にカード情報を消去することのできる情報端末装置を提供することにある。
【課題を解決するための手段】
【０００８】
上述の課題を解決するため、本発明による情報端末装置は、データを一旦蓄積するメモリ手段と、このメモリ手段からデータを読み出して当該データをデータ処理する情報処理手段とを有し、メモリ手段は、データ処理を行うためメモリ手段からデータが読み出された際、データがメモリ手段に残らない破壊読出しを行う不揮発性メモリであることを特徴とするものである。
【０００９】
そして、上記のデータは、例えば、カード上に記録されたカード情報であり、本発明による情報端末装置は、カードからカード情報を読み取るカード情報読み取り手段を備え、情報処理手段は、カード情報読み取り手段で読み取られたカード情報をメモリ手段に書き込むカード情報書込み手段と、カード情報を認証するためメモリ手段からカード情報を読み出すカード情報読み出し手段と、カード情報読み出し手段で読み出されたカード情報をカード情報認証サーバに転送するデータ処理である転送処理を行う転送手段とを有している。
【００１０】
このように、カード情報の転送処理等のデータ処理を行う際、メモリ手段からデータ（カード情報）を読み出すと、当該データがメモリ手段から消去されるから、特別の消去操作を行うことなく、カード情報転送等のデータ処理が行われると、確実にカード情報が消去されることになって、簡単な構成で確実にデータを消去できる。その結果、スキミング等の不正使用を確実に防止して、しかも、個人の機密保持及びプライバシー保護を確実に行うことができるという効果がある。
【００１１】
本発明による情報端末装置では、情報処理手段は、電源がオンされる起動の際、停電からの復帰であるか否かを判定する第１の判定手段と、第１の判定手段によって停電からの復帰でないと判定されると起動処理を行う起動処理手段と、第１の判定手段によって停電からの復帰であると判定されるとメモリ手段にカード情報が残存するか否かを判定し、カード情報が残存すると判定するとカード情報読出し手段にメモリ手段からデータを読み出すことを指示する第２の判定手段とを有するようにしてもよい。
【００１２】
このようにすれば、電源断の際に不揮発性メモリにデータ（カード情報）が残存している場合には、直ちにメモリ手段からデータを読み出してデータ転送等のデータ処理を行うので、電源断から復帰した際、メモリ手段にデータが保持されたままの状態となることがなく、機密保持及びプライバシー保護を確実に行うことできるという効果がある。
【発明を実施するための最良の形態】
【００１３】
以下、本発明の実施形態を図面に基づいて説明する。まず、図１を参照して、本発明による情報端末装置が用いられるカード決済システムについて説明する。各店舗にはそれぞれ情報端末装置１１ａ、１１ｂが配置され（図示の例では２つの情報端末装置が示されているが、実際には店舗毎に少なくとも１台の情報端末装置が配置されることになる）、これら情報端末装置１１ａ、１１ｂはネットワーク（例えば、インターネット）１２を介してカード会社に配置されたサーバ（カード会社サーバ：コンピュータシステム）１３に接続される（図１には一つのカード会社サーバ１３が示されているが、実際にはカード会社毎にカード会社サーバが備えられ、ネットワーク１２に接続されている）。
【００１４】
顧客が店頭でカード決済を希望する際には、カード（例えば、磁気カード又はＩＣカード：図１には示さず）が情報端末装置１１ａ又は１１ｂに挿入されて、カードの認証が行われる。図１に示す例においては、カードは、例えば、ＩＣカードであり、カードには少なくとも発行者情報、カード管理情報（カードＩＤ情報等）、及び取引管理情報が格納されている。前述のように、カードが情報端末装置１１ａ又は１１ｂに挿入されると、情報端末装置１１ａ又は１１ｂは発行者情報及びカード管理情報を読み取って、発行者情報で規定されるカード会社サーバ１３に対してカード管理情報を送信する。
【００１５】
カード会社サーバ１３では、カード管理情報を受けると、当該カード管理情報がカード会社サーバ１３に登録されているか否かを判定して、カードが正当であるか認証を行う。続いて、カード会社サーバ１３はその旨（認証結果）を情報端末装置１１ａ又は１１ｂに返送し、認証結果が情報端末装置１１ａ又は１１ｂ上に表示される。そして、認証結果が正当であると判定された際には、情報端末装置１１ａ又は１１ｂにおいて決済手続きが行われる。
【００１６】
決済手続きにおいては、情報端末装置１１ａ又は１１ｂからカード上の取引管理情報がカード会社サーバ１３に送られるとともに、決済金額がカード会社サーバ１３に送られて、決済が行われる。
【００１７】
ここで、図２を参照して、情報端末装置１１ａ及び１１ｂの一例について説明する。情報端末装置１１ａ及び１１ｂの各々は、カードリーダ２１、情報処理部２２、操作処理部２３、通信制御部２４、及び通信ブロック２５を有している。情報処理部２２には、データ記憶メモリ２２ａ、中央演算装置（ＣＰＵ）２２ｂ、ＲＯＭ（Ｒｅａｄ  Ｏｎｌｙ  Ｍｅｍｏｒｙ）２２ｃ、及びＲＡＭ（Ｒａｎｄｏｍ  Ａｃｃｅｓｓ  Ｍｅｍｏｒｙ）２２ｄが備えられている。
【００１８】
カードからカード情報を読み取る際には、カードがカードリーダ２１に挿入され、カードリーダ２１によってカード上のカード情報が読み取られる。そして、カード情報はカードリーダ２１から情報処理部２２に渡される。情報処理部２２においては、ＣＰＵ２２ｂがカード情報を一旦データ記憶メモリ２２ａに記憶する。なお、ＲＯＭ２２ｃにはファームウェアプログラムが格納され、ＲＡＭ２２ｄはＣＰＵ２２ｂのワークエリアとして用いられる。
【００１９】
操作処理部２３にはユーザインターフェース部（ユーザＩ／Ｆ：図示せず）が備えられている。ユーザ（例えば、店舗の従業員）はユーザＩ／Ｆを用いて、例えば、決済金額の入力等のキー入力及び決済方法（処理方法）の指定を行うとともに、操作処理部２３に表示されるこれらキー入力及び処理方法によってキー入力及び処理方法の確認を行うことができる。
【００２０】
いま、ユーザがユーザＩ／Ｆによってカード情報転送指示を与えると、カード情報転送指示は操作処理部２３からＣＰＵ２２ｂに与えられる。ＣＰＵ２２ｂは、データ記憶メモリ２２ａに記憶されたカード情報を読み出して、通信制御部２４に送る。そして、通信制御部２４は通信ブロック２５を制御して、カード情報をネットワーク１２（図１）を介してカード会社サーバ１３に送る。カード会社サーバ１３はカード情報に応じて、前述したようにして、カード認証又カード決済を行う。
【００２１】
図２に示す情報端末装置１１ａ及び１１ｂでは、データ記憶メモリ２２ａとして、例えば、強誘電体材料から構成されるＦｅＲＡＭ（Ｆｅｒｒｏｅｌｅｃｔｒｉｃ  Ｒａｎｄｏｍ  Ａｃｃｅｓｓ  Ｍｅｍｏｒｙ）が用いられ、このＦｅＲＡＭはデータ（カード情報）が読み出されると、当該データをメモリ中に残さない所謂破壊読み出しとなる不揮発性メモリである。
【００２２】
ここで、図３を参照して、データ記憶メモリ（メモリ手段：不揮発性メモリ）２２ａの一例について説明する。前述のように、データ記憶メモリ２２ａは、例えば、ＦｅＲＡＭであって、データ記憶メモリ２２ａは基板（Ｃｈｉｐ）４１を有し、この基板４１上には、強誘電体材料がデータの蓄積メモリとして構成される複数のメモリセル４２がマトリックス状に配列されている。
【００２３】
さらに、基板４１には複数のメモリセル４２から任意のメモリセル４２を選択するための選択信号Ｓ１が供給される選択線（以下ワードライン（ＷＬ、Ｗｏｒｄ  Ｌｉｎｅ）と呼ぶ）４３と、メモリセル４２に第１の電圧Ｖ１を供給するための第１の電圧供給線（以下ビットライン（ＢＬ、Ｂｉｔ  Ｌｉｎｅ）と呼ぶ）４４と、メモリセル４２に第２の電圧Ｖ２を供給する第２の電圧供給線（以下プレートライン（ＰＬ、Ｐｌａｔｅ  Ｌｉｎｅ）と呼ぶ）４５が形成され、メモリセル群４６となる。
【００２４】
加えて、基板４１上には、ＷＬ４３を介して選択信号Ｓ１を供給して任意のメモリセル４２を選択し、当該選択されたメモリセル４２にデータを書き込むデータ書込部５１と、ＷＬ４３を介して選択信号Ｓ１を供給して任意のメモリセル４２を選択し、当該選択されたメモリセル４２に書き込まれているデータを読み出すデータ読出部５２と、データ書込部５１によるデータの書き込み動作を制御するとともに、データ読出部５２によるデータ読み出し動作を制御する制御部５３とが備えられている。そして、メモリセル４２は、データ読出部５２によってデータが反転して読み出されると、データの再書き込み動作が行われず、その状態（反転状態）が維持される。
【００２５】
ここで、図４を参照して、メモリセル群４６の構成について説明する。
【００２６】
図３に関連して説明したように、メモリセル群４６は複数のメモリセル４２を備えており、さらに図３には示されていないが、ＷＬ４３に選択信号Ｓ１を供給するＷＬ駆動部４７、ＢＬ４４に第１の電圧Ｖ１を供給するＢＬ駆動部４８、及びＰＬ４５に第２の電圧Ｖ２を供給するＰＬ駆動部４９を備えている。そして、ＷＬ駆動部４７、ＢＬ駆動部４８、及びＰＬ駆動部４９はデータ書込部５１及びデータ読出部５２によって駆動される。
【００２７】
図５を参照すると、各メモリセル４２は、トランジスタ４２ａ及び強誘電体膜から構成されるキャパシタ（以下、強誘電体キャパシタと呼ぶ）４２ｂを有しており、トランジスタ４２ａのゲート端子にＷＬ４３が接続され、ドレイン端子（又はソース端子）にＢＬ４４が接続されている。
【００２８】
さらに、トランジスタ４２ａのソース端子（又はドレイン端子）に強誘電体キャパシタ４２ｂの一端子が接続され、強誘電体キャパシタ４２ｂの他端子にＰＬ４５が接続されている。なお、前述の強誘電体膜の材料として、例えば、ＰＺＴ（ジルコン酸チタン酸鉛）等のペロブスカイト化合物系又はＳＢＺ（チタン酸バリウム・ストロンチウム）等の層状ペロブスカイト化合物系が用いられる。
【００２９】
また、本実施の形態では、メモリセル４２の例として、所謂１Ｔ／１Ｃ型が示されているが、１Ｔ／１Ｃ型に限定されず、例えば、２Ｔ／２Ｃ型等であってもよい。
【００３０】
再び図４を参照すると、図示のＷＬ駆動部４７は行方向アドレスデコーダ（図示せず）を有しており、行方向アドレスデコーダによってアドレス選択されたＷＬ４３にデータの書き込み又は読み出しに応じた電位を供給する。ＢＬ駆動部４８は、列方向アドレスデコーダ及びセンスアンプ（ともに図示せず）を有しており、列方向アドレスデコーダによってアドレス選択されたＢＬ４４に、データの書き込み又は読み出しに応じた電位を供給する。
【００３１】
さらに、ＢＬ駆動部４８は、データの読み出し時においてＢＬ４４を介してセンスアンプに供給される電圧をセンスアンプで増幅し、増幅後の信号（読出しデータ）を外部（例えば、図２に示すＣＰＵ２２ｂ）に出力する。ＰＬ駆動部４９は行方向アドレスデコーダ（図示せず）を有しており、この行方向アドレスデコーダによってアドレス選択されたＰＬ４５にデータの書き込み又は読み出しに応じた電位を供給する。
【００３２】
ここで、図２〜図４を参照して、メモリセル４２に画像データを書き込む動作について説明する。ＣＰＵ２２ｂは、制御部５３に書き込み指令を与えるとともにデータ書込部５１にデータを与える。データ書込部５１は、制御部５３による書き込み制御に従ってＷＬ駆動部４７、ＢＬ駆動部４８、及びＰＬ駆動部４９にデータに応じた書込み信号を供給する。
【００３３】
ＷＬ駆動部４７では、書込み信号に応じて任意のＷＬ４３を選択し、選択したＷＬ４３に選択信号を供給する。ＷＬ駆動部４７によって選択されたＷＬ４３上のメモリセル４２では、ゲート端子に選択信号が供給されて、トランジスタ４２ａがオン（ＯＮ）状態となる。
【００３４】
ＢＬ駆動部４８では、書込み信号に応じて任意のＢＬ４４を選択し、選択したＢＬ４４に第１の電圧Ｖ１を供給する。また、ＰＬ駆動部４９では、書込み信号に応じて任意のＰＬ４５に所定の第２の電圧Ｖ２を供給する。
【００３５】
例えば、ＢＬ４４に第１の電圧Ｖ１として０Ｖが印加され、ＰＬ４５に第２の電圧Ｖ２としてＶｃｃが印加されると、強誘電体キャパシタ４２ｂには「０」が書き込まれ、また、ＢＬ４４に第１の電圧Ｖ１としてＶｃｃが印加され、ＰＬ４５に第２の電圧Ｖ２として０Ｖが印加されると、強誘電体キャパシタ４２ｂには「１」が書き込まれる。そして、強誘電体キャパシタ４２ｂは、ＷＬ４３が非選択状態（トランジスタ４２ａがオフ（ＯＦＦ）状態）になっても書き込まれたデータ（書き込み状態）を保持する。
【００３６】
続いて、メモリセル４２に書き込まれたデータを読み出す動作について説明する。ＣＰＵ２２ｂは制御部５３に読出し指令を与える。これによって、制御部５３はデータ読出部５２を読出し制御する（つまり、アドレス信号及び読出し制御信号をデータ読出部５２に与える）。データ読出部５２ではアドレス信号をＷＬ４３及びＰＬ４５を選択するためのＸデコード信号にデコードし、さらにセンスアンプ及びＢＬ４４を選択するためのＹデコード信号にデコードする。そして、データ読出部５２ではＸデコード信号をＷＬ駆動部４７及びＰＬ駆動部４９に与え、Ｙデコード信号をＢＬ駆動部４８に与える。つまり、データ読出部５２は、ＷＬ駆動部４７、ＢＬ駆動部４８、及びＰＬ駆動部４９に読出し信号を供給することになる。ＷＬ駆動部４７は、Ｘデコード信号（読出し信号）に応じて任意のＷＬ４３を選択し、選択したＷＬ４３に選択信号を供給する。ＷＬ駆動部４７により選択されたＷＬ４３上のメモリセル４２では、ゲート端子に選択信号が供給されると、トランジスタ４２ａがＯＮ状態となる。
【００３７】
ＢＬ駆動部４８では、Ｙデコード信号（読出し信号）に応じて任意のＢＬ４４を選択し、選択したＢＬ４４に第１の電圧Ｖ１を供給する。また、ＰＬ駆動部４５は、Ｘデコード信号（読出し信号）に応じて任意のＰＬ４５に第２の電圧Ｖ２を供給する。なお、前述の読出し制御信号はＢＬ４４及びＢＬ駆動部４８（センスアンプ）を動作させるタイミングを制御するために用いられる。
【００３８】
例えば、ＢＬ４４に第１の電圧Ｖ１として０Ｖが印加され、ＰＬ４５に第２の電圧Ｖ２としてＶｃｃが印加されると、強誘電体キャパシタ４２ｂの分極状態に応じた電圧がＢＬ４４を介してＢＬ駆動部４８のセンスアンプに供給される。センスアンプは、供給された電圧に応じて、「１」又は「０」を判断して読出しデータとして外部に出力する。例えば、読出しデータは図２に示すＣＰＵ２２ｂに出力され、ＣＰＵ２２ｂは通信制御部２４に読出しデータを与える。なお、ＢＬ４４に出力された電圧は制御部５３によるＢＬ４４を選択するタイミングとセンスアンプを動作させるタイミングとに応じて増幅された後、外部に読出しデータとして出力されることになる。
【００３９】
強誘電体キャパシタ４２ｂでは、「１」が読み出された場合には、分極状態が「１」の状態から「０」の状態に反転し、この反転状態を維持する所謂破壊読み出しが行われる。なお、強誘電体キャパシタ４２ｂでは、「０」が読み出されると、分極状態の反転が生じないため、データの読み出し後も「０」が維持される。
【００４０】
図示のデータ記憶メモリ２２ａでは、データの読出しを行った後、データの再書き込み動作を行っておらず、このため、データ読出部５２によりデータ記憶メモリ２２ａからデータが読み出されると、データ記憶メモリ２２ａにはデータが存在しない状態となって実質的にデータを消去した状態となる。
【００４１】
この結果、図２に示す情報端末装置１１ａ又は１１ｂでは、データ記憶メモリ２２ａに蓄積されたデータ（つまり、カード情報）がＣＰＵ２２ｂによって読み出されて、通信制御部２４及び通信ブロック２５によってネットワーク１２を介してカード会社サーバ１３に転送されると、データ消去動作等の消去制御を行うことなく、データ記憶メモリ２２ａから読み出された時点で、データ記憶メモリ２２ａに記憶されていたデータが消去されることになる。したがって、特別の消去操作を行うことなく、簡単な構成でデータ記憶メモリ２２ａからカード情報が消去でき、カード情報の不正使用に対処できるばかりでなく、機密保持及びプライバシー保護を確実に達成できることになる。
【００４２】
ところで、データ記憶メモリ２２ａは、前述のように、所謂破壊読出しの不揮発性メモリであり、停電等によって情報端末装置１１ａ又は１１ｂの電源が遮断されても、データ記憶メモリ２２ａに記憶されたデータは、データ記憶メモリ２２ａに保持されている。つまり、データ記憶メモリ２２ａでは、データの読出しが行われない限り、電源の遮断があってもデータを保持している。
【００４３】
従って、ＣＰＵ２２ｂは情報端末装置１１ａ又は１１ｂが起動された際、例えば、停電からの復帰であるか否かを判断して（第１の判定手段）、停電からの復帰であれば、ＣＰＵ２２ｂはデータ記憶メモリ２２ａにデータ（カード情報）が残っているか否かを判定する。停電からの復帰であるか否かを判定する際には、例えば、ＣＰＵ２２ｂはメインスイッチ（図示せず）がオン位置にあるか否かを判定し、メインスイッチがオン位置にある際に電源が遮断した後、再度電源がオンすると、停電からの復帰であるとする。そして、停電からの復帰後、データ記憶メモリ２２ａにデータが残っていれば、ＣＰＵ２２ｂはデータ転送（データ処理）途中であると判断してデータ転送を再開すべく、データ記憶メモリ２２ａからデータを読み出して（第２の判定手段）、通信制御部２４に与える（通信制御部２４及び通信ブロック２５が転送手段として機能することになる）。
【００４４】
一方、ＣＰＵ２２ｂは停電からの復帰でないと判断すると、通常の起動処理を実行して（起動処理手段）、情報端末装置１１ａ又は１１ｂを、例えば、スタンバイ状態とする。
【００４５】
なお、図１で説明した情報端末装置１１ａ又は１１ｂにおいて、データ記憶メモリ２２ａに制御部５３を備えず、ＣＰＵ２２ｂに制御部５３の機能を持たせるようにしてよい。このようにすれば、基板４１上に制御部５３が存在しないから、基板４１を小規模化することができる。
【００４６】
上述の実施の形態においては、図２に示す情報処理部２２、通信制御部２４、及び通信ブロック２５が情報処理手段として機能し、さらに、ＣＰＵ２２ｂ、制御部５３、及びデータ書込部５１がカード情報書込み手段として機能する。また、ＣＰＵ２２ｂ、制御部５３、及びデータ読出部５２がカード情報読出し手段として機能する。
【図面の簡単な説明】
【００４７】
【図１】本発明の実施の形態による情報端末装置が用いられる決済認証システムの一例を概略的に示すブロック図である。
【図２】本発明の実施の形態による情報端末装置の一例を示すブロック図である。
【図３】図２に示すデータ記憶メモリの一例を示すブロック図である。
【図４】図３に示すデータ記憶メモリに備えられるメモリセル群を示すブロック図である。
【図５】図４に示すメモリセル群の一メモリセルの構成を示す図である。
【符号の説明】
【００４８】
１１ａ，１１ｂ  情報端末装置、１２  ネットワーク、１３  カード会社サーバ（コンピュータシステム）、２１  カードリーダ、２２  情報処理部、２２ａ  データ記憶メモリ、２２ｂ  中央演算装置（ＣＰＵ）、２２ｃ  ＲＯＭ、２２ｄ  ＲＡＭ、２３  操作処理部、２４  通信制御部、２５  通信ブロック、４１  基板、４２  メモリセル、４３  選択線（ワードライン（ＷＬ））、４４  第１の電圧供給線（ビットライン（ＢＬ））、４５  第２の電圧供給線（プレートライン（ＰＬ））、４６  メモリセル群、４７  ＷＬ駆動部、４８  ＢＬ駆動部、４９  ＰＬ駆動部、５１  データ書込部、５２  データ読出部、５３  制御部
【図１】
2007323485.tif 000003
【図２】
2007323485.tif 000004
【図３】
2007323485.tif 000005
【図４】
2007323485.tif 000006
【図５】
2007323485.tif 000007